(57)【要約】      （修正有）【課題】プッシュプッシュ式のカード排出機構を備え、カードがカード押し切り位置からカード嵌合位置、更にカード停止位置に至るまでの広い範囲で、コンタクトがカードの接触パッドに常に接触していることを保証できるカードコネクタを提供する。【解決手段】プッシュプッシュ式のカード排出機構５０を備えたカードコネクタ１において、コンタクト２０は、カード挿入方向において接点２３ａ，２３ｂの位置が互いに異なる２本の接触アーム２２ａ，２２ｂを備える。カードＣがカード押し切り位置にあるとき、少なくとも一方の接触アーム２２ａの接点２３ａが接触パッドＣ１に接触し、カードＣがカード嵌合位置にあるとき、接点２３ａ及び／又は他方の接触アーム２２ｂの接点２３ｂが接触パッドＣ１に接触し、カードＣがストッパー６０によるカード停止位置にあるとき、少なくとも接点２３ｂが接触パッドＣ１に接触する。【選択図】図２５
0003186809.tif 000002
【実用新案登録請求の範囲】
【請求項１】
カードが挿入されるカード挿入空間を有するハウジングと、該ハウジングに取り付けられ、前記カード挿入空間に挿入された前記カードの接触パッドに接触するコンタクトと、前記カード挿入空間に挿入された前記カードを排出するためのカード排出機構とを備え、該カード排出機構は、カード挿入方向手前側にあるカード排出位置とカード挿入方向最奥位置にあるカード押し切り位置との間をカード挿入方向及びカード排出方向に前記カードとともにスライドするスライド部材と、該スライド部材をカード排出方向に付勢するばね部材と、該ばね部材の付勢力に抗して前記スライド部材を、前記カード排出位置と前記カード押し切り位置との間にあるカード嵌合位置でロックするロック手段とを備えたカードコネクタであって、
前記スライド部材及び前記カードが前記カード嵌合位置にあるときに、前記カードが前記カード嵌合位置からカード排出方向へ移動した際に、外部に設けられたストッパーによって、前記カード嵌合位置から所定距離離れたカード停止位置で前記カードの移動が停止されるものであり、
前記コンタクトは、カード挿入方向において接点の位置が互いに異なる２本の接触アームを備え、前記カードが前記カード押し切り位置にあるときには、少なくとも一方の接触アームの接点が前記カードの接触パッドに接触し、前記カードが前記カード嵌合位置にあるときには、一方の接触アームの接点及び／又は他方の接触アームの接点が前記カードの接触パッドに接触し、前記カードが前記カード停止位置にあるときには、少なくとも他方の接触アームの接点が前記カードの接触パッドに接触するようになっていることを特徴とするカードコネクタ。
【請求項２】
前記２本の接触アームは、前記コンタクトの前記ハウジングに対する固定部からカード挿入方向かつ前記カード挿入空間内に向けて片持ち梁状に延び、それぞれ前記接点を先端に備えていることを特徴とする請求項１記載のカードコネクタ。
【請求項３】
前記２本の接触アームの長さは同じであり、それぞれの接触アームの固定端の位置がカード挿入方向において異なっていることを特徴とする請求項２記載のカードコネクタ。
【請求項４】
前記カードコネクタは、カード検出スイッチをさらに具備し、前記カード検出スイッチは、前記スライド部材及び前記カードの前記カード排出位置及び前記カード停止位置の間で作動することを特徴とする請求項１乃至３のうちいずれか一項に記載のカードコネクタ。
【考案の詳細な説明】
【技術分野】
【０００１】
本考案は、挿入されたカードを排出するための、いわゆるプッシュプッシュ式のカード排出機構を備えたカードコネクに関する。
【背景技術】
【０００２】
従来、例えば、メモリカードやＳＩＭ（加入者識別モジュール）カードなどのカードが挿入されるカードコネクタは、挿入されたカードを排出するためのプッシュプッシュ式のカード排出機構を備えていることが多い。
ここで、プッシュプッシュ式のカード排出機構は、カードの挿入方向（前から後ろ向きの方向）及び排出方向（後ろから前向きの方向）にスライドするスライド部材を備えている。また、カード排出機構は、スライド部材をカードの排出方向に付勢するばね部材と、ばね部材の付勢力に抗してスライド部材をカード嵌合位置にロックさせるロック手段とを備えている。
【０００３】
そして、このカードコネクタにおいて、カードが挿入されていない状態では、スライド部材はカードコネクタのカード挿入方向手前側（前側）のカード排出位置に位置する。この状態で、カードをカードコネクタにカード挿入方向（後方向）に挿入すると、カードの先端がスライド部材に当接し、カードとともにスライド部材がカード挿入方向にスライドする。そして、カードの挿入状態がカード検出スイッチによって検出された後、カードに設けられた接触パッドがカードコネクタに取り付けられたコンタクトに接触する。その後、スライド部材及びカードはカード挿入方向最奥位置にあるカード押し切り位置に至る。
【０００４】
そして、スライド部材及びカードがカード押し切り位置にある状態からカードの挿入操作をやめると、ばね部材の付勢力によりスライド部材及びカードがカード排出方向に付勢される。そして、スライド部材はカードとともに、カード押し切り位置とカード排出位置との間に位置するカード嵌合位置に至る。スライド部材及びカードがカード嵌合位置に位置すると、ロック手段によってスライド部材がロックされる。カード及びスライド部材がカード嵌合位置に位置すると、カードの挿入が完了する。
【０００５】
ここで、カードの挿入状態がカード検出スイッチによって検出された後においては、スライド部材及びカードがカード押し切り位置に位置する場合及びカード嵌合位置に位置する場合とを問わず、コンタクトがカードの接触パッドに接触している状態が維持される。
そして、カードをカードコネクタから排出するときには、カードを再度押圧してロック手段によるスライド部材のロック状態を解除する。すると、スライド部材及びカードが再度カード押し切り位置に位置し、カードの押圧操作をやめると、ばね部材の付勢力によりスライド部材及びカードがカード排出方向に付勢され、カード排出位置に至るのである。
【０００６】
ところで、このカードコネクタにおいて、スライド部材及びカードがカード嵌合位置にあるときには、カードのコンタクトに対する接圧によって、カードのカード排出方向への移動が規制されている。しかし、このカードコネクタを搭載した携帯電話等の機器が落下すると、その衝撃によってカードがカード排出方向へ移動し、カードコネクタから脱落してしまうことがある。このカードのカードコネクタからの脱落を防止するために、カードコネクタを搭載した機器にストッパーを設けることが一般的に行なわれている。このストッパーは、カードがカード嵌合位置からカード排出方向へ所定距離移動したカード停止位置のところでカードの移動を停止させるものである。
【０００７】
そして、このカードコネクタにおいては、カードがカード停止位置のところで停止する場合にも、カードの挿入状態がカード検出スイッチによって検出された後であるため、コンタクトが接触パッドに接触していることが要望されている。つまり、カードがカード押し切り位置からカード嵌合位置、更にカード停止位置に至るまでの広い範囲で、コンタクトがカードに設けられた接触パッドに常に接触していることが必要となる。
【０００８】
一方、プッシュプッシュ式のカード排出機構を有するものではないが、カードが挿抜されるカードコネクタとして、例えば、図２７乃至図３０に示すものが知られている（特許文献１参照）。図２７は、カードが半分ほど挿入されている状態の従来のカードコネクタを示し、（Ａ）はコンタクトが見えている状態の断面図、（Ｂ）はカード検出スイッチが見えている状態の断面図である。図２８は、カードの接触パッドが手前側の第２接点部に接触しているときの状態の従来のカードコネクタを示し、（Ａ）はコンタクトが見えている状態の断面図、（Ｂ）はカード検出スイッチが見えている状態の断面図である。図２９は、カード検出スイッチがオンになった状態の従来のカードコネクタを示し、（Ａ）はコンタクトが見えている状態の断面図、（Ｂ）はカード検出スイッチが見えている状態の断面図である。図３０は、カードの挿入が完了した状態の従来のカードコネクタを示し、（Ａ）はコンタクトが見えている状態の断面図、（Ｂ）はカード検出スイッチが見えている状態の断面図である。
【０００９】
この図２７乃至図３０に示すカードコネクタ１０１は、カード１４０が挿入されるカード挿入空間１１１を有するハウジング１１０と、ハウジング１１０に取り付けられた複数のコンタクト１２０とを備えている。カード１４０は、その先端に複数の凹部１４１を有し、各凹部１４１には接触パッド１４２が設けられている。
ハウジング１１０のカード挿入空間１１１には、図２７乃至図３０に示すように、カード１４０が矢印Ａ方向で示すカード挿入方向に挿入される。
【００１０】
また、各コンタクト１２０は、ハウジング１１０に対する固定部１２１と、固定部１２１からカード挿入方向に延び、カード挿入空間１１１に挿入されたカード１４０の接触パッド１４２に接触する接触ばね片部１２２とを備えている。そして、接触ばね片部１２２は、カード挿入方向に沿って長さの異なる２つの第１ばね片部１２２ａ及び第２ばね片部１２２ｂに分割されている。第１ばね片部１２２ａはカード挿入方向奥側まで延び、その頂点に接触パッド１４２に接触する第１接点部１２３ａを設けている。また、第２ばね片部１２２ｂは第１ばね片部１２２ａに対してカード挿入方向手前側まで延び、その頂点に接触パッド１４２に接触する第２接点部１２３ｂを設けている。
【００１１】
更に、カードコネクタ１０１は、カード挿入空間１１１のカード挿入方向奥側に位置するカード検出スイッチ１３０を備えている。カード検出スイッチ１３０は、固定端子１３０ａと、固定端子１３０ａよりもカード挿入方向手前側であってカード挿入空間１１１内に位置する可動端子１３０ｂとを備えている。可動端子１３０ｂが固定端子１３０ａに接触することにより、カード検出スイッチ１３０がオンとなり、カード１４０の挿入が検知される。
【００１２】
このカードコネクタ１０１において、カード１４０がカード挿入空間１１１に挿入され、カード１４０が半分ほど挿入されると図２７に示す状態となる。この状態では、図２７（Ａ）に示すように、カード１４０の接触パッド１４２はコンタクト１２０の第１接点部１２３ａ及び第２接点部１２３ｂのいずれにも接触していない。また、図２７（Ｂ）に示すように、カード検出スイッチ１３０はオフとなっている。
【００１３】
そして、カード１４０の挿入が進行すると、先ず、図２８（Ａ）に示すように、カード１４０の接触パッド１４２が第２接点部１２３ｂに接触する。この状態では、図２８（Ｂ）に示すように、カード検出スイッチ１３０はオフとなっている。
更に、カードの挿入が進行すると、図２９（Ａ）に示すように、カード１４０の接触パッド１４２が第２接点部１２３ｂに接触した状態で、図２９（Ｂ）に示すように、カード１４０の先端が可動端子１３０ｂを押圧し、可動端子１３０ｂが固定端子１３０ａに接触する。これにより、カード検出スイッチ１３０がオンとなり、カード１４０の挿入が検知される。
【００１４】
更に、カードの挿入が進行しカード１４０の先端がハウジング１１０の端壁１１２に当接すると、図３０（Ａ）,（Ｂ）に示すように、カード１４０の挿入が完了する。この状態では、図３０（Ａ）に示すように、カード１４０の接触パッド１４２は第２接点部１２３ｂのみならず第１接点部１２３ａにも接触する。また、図３０（Ｂ）に示すように、カード検出スイッチ１３０のオン状態は維持される。
従って、図２７乃至図３０に示したカードコネクタ１０１によれば、カード１４０の接触パッド１４２がコンタクト１２０に接触した後に、カードの挿入が検知されることになる。
【先行技術文献】
【特許文献】
【００１５】
【特許文献１】特開２００２−１００４４０号公報
【考案の概要】
【考案が解決しようとする課題】
【００１６】
しかしながら、この従来の図２７乃至図３０に示したカードコネクタ１０１にあっては、以下の問題点があった。
即ち、図２９（Ｂ）に示すカード１４０の挿入が検知されてから、図３０（Ａ）に示すように、カード１４０の挿入が進行した状態では、カード１４０の接触パッド１４２がコンタクト１２０に接触している。そして、図３０（Ａ）に示すように、カード１４０の挿入が完了した状態では、コンタクト１２０の第１接点部１２３ａ及び第２接点部１２３ｂが接触パッド１４２に接触している。
【００１７】
しかし、カード１４０の挿入が完了した後、カード１４０がカード排出方向（図３０（Ａ）で示す矢印Ａ方向と反対方向）へ移動した場合についての接触パッド１４２のコンタクト１２０に対する接触状態については何ら説明がなされていない。従って、前述したストッパーによって、カードがカード挿入完了位置からカード排出方向へ所定距離移動したカード停止位置のところでカードの移動を停止させる際に、コンタクト１２０が接触パッド１４２に接触していることを保証するものではない。
【００１８】
従って、本考案はこの問題点を解決するためになされたものであり、その目的は、いわゆるプッシュプッシュ式のカード排出機構を備えたカードコネクタにおいて、カードがカード押し切り位置からカード嵌合位置、更にカード停止位置に至るまでの広い範囲で、コンタクトがカードに設けられた接触パッドに常に接触していることを保証できるカードコネクタを提供することにある。
【課題を解決するための手段】
【００１９】
上記目的を達成するために、本考案のある態様に係るカードコネクタは、カードが挿入されるカード挿入空間を有するハウジングと、該ハウジングに取り付けられ、前記カード挿入空間に挿入された前記カードの接触パッドに接触するコンタクトと、前記カード挿入空間に挿入された前記カードを排出するためのカード排出機構とを備え、カード排出機構は、カード挿入方向手前側にあるカード排出位置とカード挿入方向最奥位置にあるカード押し切り位置との間をカード挿入方向及びカード排出方向に前記カードとともにスライドするスライド部材と、該スライド部材をカード排出方向に付勢するばね部材と、該ばね部材の付勢力に抗して前記スライド部材を、前記カード排出位置と前記カード押し切り位置との間にあるカード嵌合位置でロックするロック手段とを備えたカードコネクタであって、前記スライド部材及び前記カードが前記カード嵌合位置にあるときに、前記カードが前記カード嵌合位置からカード排出方向へ移動した際に、外部に設けられたストッパーによって、前記カード嵌合位置から所定距離離れたカード停止位置で前記カードの移動が停止されるものであり、前記コンタクトは、カード挿入方向において接点の位置が互いに異なる２本の接触アームを備え、前記カードが前記カード押し切り位置にあるときには、少なくとも一方の接触アームの接点が前記カードの接触パッドに接触し、前記カードが前記カード嵌合位置にあるときには、一方の接触アームの接点及び／又は他方の接触アームの接点が前記カードの接触パッドに接触し、前記カードが前記カード停止位置にあるときには、少なくとも他方の接触アームの接点が前記カードの接触パッドに接触するようになっていることを特徴としている。
【００２０】
また、このカードコネクタにおいて、前記２本の接触アームは、前記コンタクトの前記ハウジングに対する固定部からカード挿入方向かつ前記カード挿入空間内に向けて片持ち梁状に延び、それぞれ前記接点を先端に備えているとよい。
更に、このカードコネクタにおいて、前記２本の接触アームの長さは同じであり、それぞれの接触アームの固定端の位置がカード挿入方向において異なっているとよい。
また、このカードコネクタにおいて、カード検出スイッチをさらに具備し、前記カード検出スイッチは、前記スライド部材及び前記カードの前記カード排出位置及び前記カード停止位置の間で作動することが好ましい。
【考案の効果】
【００２１】
本考案に係るカードコネクタによれば、コンタクトは、カード挿入方向において接点の位置が互いに異なる２本の接触アームを備える。そして、カードがカード押し切り位置にあるときには、少なくとも一方の接触アームの接点がカードの接触パッドに接触し、カードがカード嵌合位置にあるときには、一方の接触アームの接点及び／又は他方の接触アームの接点がカードの接触パッドに接触し、カードがカード停止位置にあるときには、少なくとも他方の接触アームの接点がカードの接触パッドに接触するようになっている。このため、いわゆるプッシュプッシュ式のカード排出機構を備えたカードコネクタにおいて、カードがカード押し切り位置からカード嵌合位置、更にカード停止位置に至るまでの広い範囲で、コンタクトがカードに設けられた接触パッドに常に接触していることを保証できるカードコネクタを提供できる。
【図面の簡単な説明】
【００２２】
【図１】本考案に係るカードコネクタの実施形態の斜視図である。
【図２】図１に示すカードコネクタからシェルを取り外した状態の斜視図である。但し、スライド部材はカード排出位置にある。
【図３】図１に示すカードコネクタにカードを挿入しカードの先端がカード排出位置にあるスライド部材に当接した状態（カード排出状態と同様の状態）の斜視図である。
【図４】図３に示す状態のカードコネクタからシェルを取り外した状態の斜視図である。
【図５】図３に示す状態の平面図である。
【図６】図５における６−６線に沿う断面図である。
【図７】図３に示す状態のカードコネクタからシェルを取り外した状態の平面図である。但し、カードの裏面側は透視してある。
【図８】図７の左側面図である。但し、カードは図示していない。
【図９】図３に示す状態からカードの挿入が進行してカードの先端がハウジングの後端に当接し、カード及びスライド部材がカード押し切り位置に位置した状態の斜視図である。
【図１０】図９に示す状態のカードコネクタからシェルを取り外した状態の斜視図である。
【図１１】図９に示す状態の平面図である。
【図１２】図１１における１２−１２線に沿う断面図である。
【図１３】図９に示す状態のカードコネクタからシェルを取り外した状態の平面図である。但し、カードの裏面側は透視してある。
【図１４】図１３の左側面図である。但し、カードは図示していない。
【図１５】図９に示す状態からカード及びスライド部材がカード排出方向に移動し、カード及びスライド部材がカード嵌合位置に位置した状態の斜視図である。
【図１６】図１５に示す状態のカードコネクタからシェルを取り外した状態の斜視図である。
【図１７】図１５に示す状態の平面図である。
【図１８】図１７における１８−１８線に沿う断面図である。
【図１９】図１５に示す状態のカードコネクタからシェルを取り外した状態の平面図である。但し、カードの裏面側は透視してある。
【図２０】図１９の左側面図である。但し、カードは図示していない。
【図２１】図１５に示す状態からカードがカード排出方向に移動し、ストッパーによってカードがカード停止位置に停止した状態の斜視図である。但し、図２１には、ストッパーは図示されていない。
【図２２】図２１に示す状態のカードコネクタからシェルを取り外した状態の斜視図である。但し、図２２には、ストッパーは図示されていない。
【図２３】図２１に示す状態の平面図であり、ストッパーによってカードがカード停止位置に停止される状態が示されている。
【図２４】図２３における２４−２４線に沿う断面図である。
【図２５】図２１に示す状態のカードコネクタからシェルを取り外した状態の平面図である。但し、カードの裏面側は透視してある。
【図２６】図２５の左側面図である。但し、図２６には、ストッパー及びカードは図示していない。
【図２７】カードが半分ほど挿入されている状態の従来のカードコネクタを示し、（Ａ）はコンタクトが見えている状態の断面図、（Ｂ）はカード検出スイッチが見えている状態の断面図である。
【図２８】カードの接触パッドが手前側の第２接点部に接触しているときの状態の従来のカードコネクタを示し、（Ａ）はコンタクトが見えている状態の断面図、（Ｂ）はカード検出スイッチが見えている状態の断面図である。
【図２９】カード検出スイッチがオンになった状態の従来のカードコネクタを示し、（Ａ）はコンタクトが見えている状態の断面図、（Ｂ）はカード検出スイッチが見えている状態の断面図である。
【図３０】カードの挿入が完了した状態の従来のカードコネクタを示し、（Ａ）はコンタクトが見えている状態の断面図、（Ｂ）はカード検出スイッチが見えている状態の断面図である。
【考案を実施するための形態】
【００２３】
以下、本考案の実施の形態を図面を参照して説明する。
図１及び図２に示すカードコネクタ１は、図示しない回路基板上に実装される。そして、カードコネクタ１には、図３乃至図７、図９乃至図１３、図１５乃至図１９、及び図２１乃至図２５に示すように、メモリカード、ＳＩＭカード等のカードＣが挿入及び抜去される。カードＣは、図３で示す矢印Ｘで示すカード挿入方向（前から後ろ向き）にカードコネクタ１に挿入され、図３で示す矢印Ｙで示すカード排出方向（後から前向き）にカードコネクタ１から排出される。カードＣがカードコネクタ１に挿入されることにより、カードＣと回路基板との電気的接続が達成される。
カードコネクタ１は、図１及び図２に示すように、合成樹脂製のハウジング１０と、金属製の複数のコンタクト２０と、金属製のシェル３０と、カード検出スイッチ４０と、カード排出機構５０とを備えている。
【００２４】
ここで、ハウジング１０は、図２に示すように、幅方向（図２における左右方向）及び前後方向（図２における下方を前方、上方を後方）に延びる略矩形状に形成された底壁１１を備えている。この底壁１１の前端右側部には、前端右壁１２が設けられ、底壁１１の左縁には、前端から後方に向けて延びる左側壁１４が設けられている。また、底壁１１の後端右側部には後端右壁１５が設けられると共に、底壁１１の後端左側部には後端左壁１６が設けられている。また、底壁１１の右縁には、前端右壁１２と後端右壁１５とを連結するように延びる右側壁１３が設けられている。そして、ハウジング１０の底壁１１上には、前側が開放しているカード挿入空間１７が形成されている。カードＣは、図３及び図４に示すように、ハウジング１０の前側からカード挿入空間１７内に挿入されて、矢印Ｘで示すカード挿入方向に進行する。また、カードＣは、カード挿入空間１７から矢印Ｙで示すカード排出方向に排出される。ここで、カードＣをカード挿入空間１７に挿入するときに、カードＣの左側面を左側壁１４の内側面が案内し、カードＣの右側面を前端右壁１２の内側面１２ａが案内する。また、底壁１１の幅方向右端近傍には、後端右壁１５と前端右壁１２との間に形成されるカード排出機構収容領域１８が形成されている。ハウジング１０は、合成樹脂を成形することによって形成される。
【００２５】
また、複数のコンタクト２０は、図２に示すように、ハウジング１０の幅方向に沿って底壁１１に前後２列状に配置されている。各コンタクト２０は、カード挿入空間１７に挿入されたカードＣの裏面に設けられた接触パッドＣ１（図１９参照）に接触するとともに、回路基板上に接続される。各コンタクト２０は、導電性金属板を打抜き及び曲げ加工することによって形成される。
【００２６】
ここで、各コンタクト２０の詳細な形状について説明する。各コンタクト２０は、図６及び図７に示すように、ハウジング１０の底壁１１に固定される固定部２１を備えている。そして、固定部２１から後ろ向き（カード挿入方向）かつカード挿入空間１７内に向けて２本の第１接触アーム２２ａ及び第２接触アーム２２ｂが片持ち梁状に延びている。２本の第１接触アーム２２ａ及び第２接触アーム２２ｂは、それぞれ、カードＣの接触パッドＣ１に接触する第１接点２３ａ、第２接点２３ｂをその先端に備えている。そして、第１接点２３ａ及び第２接点２３ｂのカード挿入方向における位置は互いに異なっており、第１接点２３ａの位置はカード挿入方向後側、第２接点２３ｂの位置はカード挿入方向前側となっている。第１接触アーム２２ａ及び第２接触アーム２２ｂの長さは同じであり、図７に示すように、固定端の位置がカード挿入方向において異なっている。このように、第１接触アーム２２ａ及び第２接触アーム２２ｂの長さを同じにすることにより、第１接点２３ａの接触パッドＣ１に対する接圧と、第２接点２３ｂの接触パッドＣ１に対する接圧を同じにすることができる。
【００２７】
ここで、第１接触アーム２２ａの第１接点２３ａの位置は、カードＣが図１３に示すカード押し切り位置にあるときと、図１９に示すカード嵌合位置にあるときの双方の場合に接触パッドＣ１に接触可能な位置に設定される。また、第２接触アーム２２ｂの第２接点２３ｂの位置は、カードＣが図１９に示すカード嵌合位置にあるときと、図２５に示すカード停止位置にあるときの双方の場合に接触パッドＣ１に接触可能な位置に設定される。従って、カードＣが図１３に示すカード押し切り位置にあるときには第１接点２３ａが接触パッドＣ１に接触し、カードＣが図１９に示すカード嵌合位置にあるときには、第１接点２３ａ及び第２接点２３ｂが接触パッドＣ１に接触する。また、カードＣが図２５に示すカード停止位置にあるときには、第２接点２３ｂが接触パッドＣ１に接触する。
各コンタクト２０はまた、固定部２１から延び、回路基板に接続するための基板接続部２４を有する。全ての基板接続部２４は、ハウジング１０の底壁１１に形成された開口１１ａ内に突出する。
【００２８】
また、シェル３０は、図１に示すように、ハウジング１０の上側に装着される。シェル３０は、図１に示すように、ハウジング１０の上面を覆う平面部３１と、ハウジング１０の幅方向両側面を覆う１対の側面部３２と、ハウジング１０の後面を覆う後面部３３とを備えている。平面部３１は、ハウジング１０の幅方向及び前後方向に延びる。平面部３１のほぼ中央部には、基板接続部２４、４１ａの半田付け状態の目視検査及び半田付け部の補修を可能にする開口３４が形成されている。各側面部３２は、平面部３１の幅方向各側面から下方に延びる。また、後面部３３は、平面部３１の後面から下方に延びている。シェル３０は、導電性金属板を打抜き及び曲げ加工することによって形成される。
【００２９】
更に、カード検出スイッチ４０は、カードＣの挿入及び抜去を検出するためのものであり、図１及び図２に示すように、固定端子４１と、固定端子４１に対して接離する可動端子４２とからなっている。固定端子４１は、図２及び図８示すように、ハウジング１０の底壁１１の前後方向略中央部から左側に突出してから片持ち梁状に後方に向けて延びている。固定端子４１は、回路基板に接続するためにハウジング１０の開口１１ａ内に突出する基板接続部４１ａを有する。可動端子４２は、図１に示すように、シェル３０の左側の側面部３２から後方に向けて延びている。固定端子４１及び可動端子４２は通常は閉じている。カードＣをカード挿入空間に挿入し、その挿入が完了するまでの途中でカードＣの左側縁が可動端子４２に接触し、可動端子４２が左側に変位して固定端子４１から離隔する。また、カードＣを排出する途中で可動端子４２が元の状態に復元し、可動端子４２が固定端子に接触する。
【００３０】
また、カード排出機構５０は、図２に示すように、ハウジング１０の底壁１１に形成されたカード排出機構収容領域１８に配置され、カード挿入空間１７に挿入されたカードＣを排出する。このカード排出機構５０は、いわゆるプッシュプッシュ型のイジェクト機構であり、矢印Ｘで示すカード挿入方向及び矢印Ｙで示すカード排出方向にカードＣとともにスライドするスライド部材５１を備えている。
【００３１】
スライド部材５１は、カードＣとともにカード挿入方向手前側にある図３乃至図８に示すカード排出位置とカード挿入方向最奥位置にある図９乃至図１４に示すカード押し切り位置との間をカード挿入方向及びカード排出方向にスライドする。スライド部材５１のスライド順について具体的に述べると、スライド部材５１は、図３乃至図８に示すカード排出位置、図９乃至図１４に示すカード押し切り位置、カード排出位置とカード押し切り位置との間にある図１５乃至図２０に示すカード嵌合位置、前記カード押し切り位置、及び前記カード排出位置の順にスライド移動する。
【００３２】
また、カード排出機構５０は、スライド部材５１をカード排出方向に付勢するばね部材５２と、ばね部材５２の付勢力に抗してスライド部材５１を、図１５乃至図２０に示すカード嵌合位置にロックするロック手段５３とを備えている。ロック手段５３は、図２に示すように、スライド部材５１の上面に形成されたハートカム溝５４と、ハウジング１０の前端右壁１２に一端が回動可能に支持され、他端がハートカム溝５４に嵌合するカムピン５５とからなる。
【００３３】
次に、カード排出機構５０の動作及び各コンタクト２０の接触パッドＣ１に対する接触動作について、図２乃至図２６を参照して説明する。
まず、カードコネクタ１にカードＣが挿入されていない状態では、スライド部材３１はカード挿入方向手前側にある図２に示すカード排出位置に位置する。この際には、スライド部材５１は、ばね部材５２によってカード排出方向に付勢されてハウジング１０の前端右壁１２に当接している。カムピン５５の他端部は、ハートカム溝５４の後方部に位置する。
【００３４】
このカードコネクタ１にカードＣが挿入されていない状態で、図３乃至図８に示すように、カードＣをカード挿入方向に挿入してカード挿入空間１７に挿入する。すると、カードＣの先端がスライド部材５１の当接部５１ａに当接する。この際には、図７に示すように、カードＣの接触パッドＣ１はコンタクト２０の第１接点２３ａ及び第２接点２３ｂのいずれにも接触しない。
【００３５】
そして、更に、カードＣの挿入を進行すると、カードＣとともにスライド部材５１がカード挿入方向にスライドし、カードＣが後端左壁１６に当接するとともに、スライド部材５１が後端右壁１５に当接する。これにより、カードＣ及びスライド部材５１が、カード挿入方向の最奥位置にある図９乃至図１４に示すカード押し切り位置に至る。カムピン５５の他端部は、ハートカム溝５４の前端部に位置する。
【００３６】
このカードＣがカード押し切り位置に至るまでの途中（具体的には、カード排出位置及び後述するカード停止位置の間）でカードＣの左側縁が可動端子４２を左側に変位させ、可動端子４２は固定端子４１から離隔してカードＣの挿入が検知される。そして、このカードＣの挿入が検知された後、カードＣの接触パッドＣ１がコンタクト２０の第１接点２３ａ及び第２接点２３ｂの双方に接触する。そして、カードＣが押し切り位置に至ると、図１３に示すように、カードＣの接触パッドＣ１はコンタクト２０の第２接点２３ｂを通過し、第１接点２３ａのみがカードＣの接触パッドＣ１に接触することになる。
【００３７】
そして、カードＣ及びスライド部材５１が図９乃至図１４に示すカード押し切り位置にある状態からカードＣの挿入操作をやめる。すると、ばね部材５２の付勢力によりスライド部材５１がカードＣとともにカード排出方向に付勢され、図１５乃至図２０に示すカード嵌合位置に至る。カムピン５５の他端部は、ハートカム溝５４のロック位置に位置する。これにより、スライド部材５１は、カード嵌合位置にロックされる。この状態がカードＣの挿入が完了した状態である。
このカードＣ及びスライド部材５１がカード嵌合位置にあるときには、図１９に示すように、カードＣの接触パッドＣ１がコンタクト２０の第１接点２３ａ及び第２接点２３ｂの双方に接触することになる。
【００３８】
ここで、カードＣ及びスライド部材５１がカード嵌合位置にあるときには、カードＣのコンタクト２０に対する接圧によって、カードＣのカード排出方向への移動が規制されている。しかし、このカードコネクタ１を搭載した携帯電話等の機器（図示せず）が落下すると、その衝撃によってカードＣがカード排出方向へ移動し、カードコネクタ１から脱落してしまうことがある。このカードＣのカードコネクタ１からの脱落を防止するために、カードコネクタ１を搭載した機器にストッパーを設けることが一般的に行なわれている。このストッパーは、例えば、カードコネクタ１がスマートフォンや携帯電話に搭載されている場合には、カードの脱落を防止するための蓋で構成される。
【００３９】
図２１乃至図２６には、カードＣ及びスライダ５１がカード嵌合位置にある状態からカードＣがカード排出方向に移動し、ストッパー６０によってカードＣがカード停止位置に停止した状態を示している。カード停止位置は、カードＣがカード嵌合位置からカード排出方向へ所定距離移動したところに設定されているものであり、図３乃至図８に示すカード排出位置よりはカード挿入方向の奥側（後側）である。
カードＣがこのカード停止位置に停止した状態では、図２５に示すように、カードＣの接触パッドＣ１はコンタクト２０の第１接点２３ａを通過し、第２接点２３ｂのみがカードＣの接触パッドＣ１に接触することになる。
【００４０】
従って、本実施形態に係るカードコネクタ１においては、カードＣが図１３に示すカード押し切り位置にあるときには第１接点２３ａが接触パッドＣ１に接触し、カードＣが図１９に示すカード嵌合位置にあるときには、第１接点２３ａ及び第２接点２３ｂが接触パッドＣ１に接触する。また、カードＣが図２５に示すカード停止位置にあるときには、第２接点２３ｂが接触パッドＣ１に接触する。このため、いわゆるプッシュプッシュ式のカード排出機構を備えたカードコネクタにおいて、カードＣがカード押し切り位置からカード嵌合位置、更にカード停止位置に至るまでの広い範囲で、コンタクト２０がカードＣの接触パッドＣ１に常に接触していることを保証できる。
【００４１】
なお、カード挿入空間１７に挿入されたカードＣを排出するときには、カードＣ及びスライド部材５１が図１５乃至図２０に示すカード嵌合位置にある状態から、カードＣをカード挿入方向に押圧する。すると、カムピン５５の他端部がハートカム溝５４のロック位置から外れ、カードＣとともにスライド部材５１がカード挿入方向にスライドし、カードＣが後端左壁１６に当接するとともに、スライド部材５１が後端右壁１５に当接する。これにより、カードＣ及びスライド部材５１が、カード挿入方向の最奥位置にある図９乃至図１４に示すカード押し切り位置に至る。
【００４２】
ここで、カードＣ及びスライド部材５１がカード嵌合位置にあるときには、前述したように、カードＣの接触パッドＣ１がコンタクト２０の第１接点２３ａ及び第２接点２３ｂの双方に接触する。そして、カードＣが押し切り位置に至ると、図１３に示すように、カードＣの接触パッドＣ１はコンタクト２０の第２接点２３ｂを通過し、第１接点２３ａのみがカードＣの接触パッドＣ１に接触することになる。
【００４３】
そして、カードＣ及びスライド部材５１が図９乃至図１４に示すカード押し切り位置にある状態からカードＣの押圧操作をやめると、ばね部材５１の付勢力により、カードＣとともにスライド部材５１がカード排出方向に付勢される。そして、カードＣ及びスライド部材５１が図３乃至図８に示すカード排出位置に至る。これにより、カードＣは、カード挿入空間１７から排出される。
このカードＣがカード排出位置に至るまでの途中で、先ず、カードＣの接触パッドＣ１がコンタクト２０に対する接触状態が解除され、その後、（具体的には、カード停止位置及びカード排出位置の間で）可動端子４２が元の状態に復帰する。これにより、可動端子４２が固定端子４１に接触し、カードＣの排出が検知される。
【００４４】
以上、本考案の実施形態について説明してきたが、本考案はこれに限定されずに種々の変更、改良を行うことができる。
例えば、カードＣがカード押し切り位置にあるときには、第１接点２３ａのみがカードＣの接触パッドＣ１に接触するようになっているが、第１接点２３ａ及び第２接点２３ｂの双方が接触パッドＣ１に接触するようにしてもよい。
【００４５】
また、カードＣがカード嵌合位置にあるときには、第１接点２３ａ及び第２接点２３ｂの双方が接触パッドＣ１に接触するが、第１接点２３ａ及び第２接点２３ｂのいずれか一方が接触パッドＣ１に接触するようにしてもよい。
更に、カードＣがカード停止位置にあるときには、第２接点２３ｂのみが接触パッドＣ１に接触するようになっているが、第１接点２３ａ及び第２接点２３ｂの双方が接触パッドＣ１に接触するようにしてもよい。
【符号の説明】
【００４６】
１  カードコネクタ
１０  ハウジング
１７  カード挿入空間
２０  コンタクト
２１  固定部
２２ａ  第１接触アーム（接触アーム）
２２ｂ  第２接触アーム（接触アーム）
２３ａ  第１接点（接点）
２３ｂ  第２接点（接点）
５０  カード排出機構
５１  スライド部材
５２  ばね部材
５３  ロック手段
６０  ストッパー
Ｃ  カード
Ｃ１  接触パッド
【図１】
0003186809.tif 000003
【図２】
0003186809.tif 000004
【図３】
0003186809.tif 000005
【図４】
0003186809.tif 000006
【図５】
0003186809.tif 000007
【図６】
0003186809.tif 000008
【図７】
0003186809.tif 000009
【図８】
0003186809.tif 000010
【図９】
0003186809.tif 000011
【図１０】
0003186809.tif 000012
【図１１】
0003186809.tif 000013
【図１２】
0003186809.tif 000014
【図１３】
0003186809.tif 000015
【図１４】
0003186809.tif 000016
【図１５】
0003186809.tif 000017
【図１６】
0003186809.tif 000018
【図１７】
0003186809.tif 000019
【図１８】
0003186809.tif 000020
【図１９】
0003186809.tif 000021
【図２０】
0003186809.tif 000022
【図２１】
0003186809.tif 000023
【図２２】
0003186809.tif 000024
【図２３】
0003186809.tif 000025
【図２４】
0003186809.tif 000026
【図２５】
0003186809.tif 000027
【図２６】
0003186809.tif 000028
【図２７】
0003186809.tif 000029
【図２８】
0003186809.tif 000030
【図２９】
0003186809.tif 000031
【図３０】
0003186809.tif 000032